(57)【特許請求の範囲】
【請求項１】
２以上の容器を幅方向に並べて収容するもので、上部を開口した紙製の箱からなり、その背面部の全高を高く、正面部の全高を低くして前方を広く開口させたカートンにおいて、
前記正面部の内側に、隣接する前記容器の間に向けて、少なくとも一部がそれぞれの容器の外周部に当接する固定部を設け、かつ、
前記背面部の上端に、前記正面部の側に折曲げられる背面表紙部を連設するとともに、
前記背面部と隣接する側面部に、前記背面表紙部に対して前記正面部の側に位置し、前記容器の上部を保持する保持片を設けたことを特徴とするカートン。
【請求項２】
前記背面表紙部の全高は、前記正面部の上端縁と上下方向にオーバーラップする長さとされていることを特徴とする請求項１に記載のカートン。
【発明の詳細な説明】
【０００１】
【発明の属する技術分野】
本発明は、例えば、シャンプーとリンス等の２以上の商品が１組として取り扱われる容器を収容するカートンに関するものである。
【０００２】
【従来の技術】
従来、この種の商品は、２つを１組として販売する場合には、例えば、樹脂製の透明で軟質な袋の中に纏めて収容した状態で販売されている。また、前記袋の中には、前記商品である容器を安定させるとともに、容器に印刷されたバーコード標示を隠すことを目的として、台紙が収容されている。
【０００３】
【発明が解決しようとする課題】
しかしながら、前記販売方法は、ゴミの分別が複雑な近年では、樹脂製の袋と台紙とを分けて処分しなければならないため、その廃棄処分が面倒であるという問題がある。また、袋は破れる等して破損し易いという問題がある。さらに、容器に印刷された商品名等の標示を向ける方向は、略正面のみに限られるため、デザイン性が悪い。
【０００４】
ここで、従来では、例えばジュース等の飲量容器を把持部の両側に位置するように、２以上の偶数量の容器を収容可能としたカートンが存在する。しかし、このカートンは、例えば２つを１組として収容する場合、一方の容器を前側として他方を後側に配置しなければならないため、設計の自由度が狭く、デザイン性が悪いうえ、販売促進には繋がらない。
【０００５】
そこで、本発明では、２以上の商品を１組として販売する際に、廃棄処分が容易で、デザイン性に優れ、販売促進効果をも得られるカートンを提供することを課題とするものである。
【０００６】
【課題を解決するための手段】
前記課題を解決するため、本発明のカートンは、２以上の容器を幅方向に並べて収容するもので、上部を開口した紙製の箱からなり、その背面部の全高を高く、正面部の全高を低くして前方を広く開口させたカートンにおいて、前記正面部の内側に、隣接する前記容器の間に向けて、少なくとも一部がそれぞれの容器の外周部に当接する固定部を設け、かつ、前記背面部の上端に、前記正面部の側に折曲げられる背面表紙部を連設するとともに、前記背面部と隣接する側面部に、前記背面表紙部に対して前記正面部の側に位置し、前記容器の上部を保持する保持片を設けた構成としている。
【０００７】
前記カートンによれば、前記固定部により、隣接する容器を位置決めできるとともに、容器の断面形状が非円形状である場合にはその容器に印刷された標示の方向を希望に応じて変更することができる。そのため、設計の自由度が広く、デザイン性を向上し、販売促進効果にも繋がる。また、紙製であるため、従来の販売方法と比較すると、廃棄する際に分別する必要はないうえ、破れる等の破損は生じ難い。さらに、背面部と隣接する側面部に、容器の上部を保持する保持片を設けているため、カートンに対する容器の前倒れを防止できる。さらに、この保持片によって収容した容器の取り出しが困難になるため、盗難の防止の効果も得ることができる。
【０００８】
前記カートンでは、前記背面表紙部の全高は、前記正面部の上端縁と上下方向にオーバーラップする長さとされることが好ましい。
【０００９】
【発明の実施の形態】
以下、本発明の実施の形態を図面に従って説明する。
図１から図４は、本発明の実施形態の前提となる参考例のカートンを示す。このカートンは、図１に示すように、断面円形状をなすポンプ注出方式の２つの容器１Ａ，１Ｂを幅方向に並べて収容するものである。
【００１０】
具体的には、このカートンはボール紙製の箱からなり、その組立状態では、図２および図３に示すように、背面部１２の全高が高く、正面部２１の全高が低くされ、その前方が湾曲した縁により大きく開口する形状とされている。また、正面部２１の中央上端縁の内側には、隣接する前記容器１Ａ，１Ｂの間に向けてそれぞれの容器１Ａ，１Ｂの外周部に沿う略三角形状の固定部２３が設けられている。即ち、この固定部２３は、隣接する容器１Ａ，１Ｂの接触部から正面部２１にかけて存在する空間を塞ぐように設けられている。
【００１１】
具体的には、前記カートンは、周知の紙器打抜装置（図示せず）によってボール紙を打ち抜くことにより、図４に示す展開状態で成形され、この打抜製品１０を折曲線１１，１７，２０，２５に沿って折ることにより組み立てられる。
【００１２】
前記打抜製品１０は、図４に示すように、背面部１２と、該背面部１２の一辺に連続した背面表紙部１５と、前記背面部１２において背面表紙部１５と反対側の辺に連続した底面部１８と、該底面部１８に連続した正面部２１と、該正面部２１の両側にそれぞれ連続した組立保持部２６とからなり、これらが一枚の連続した展開形状で打ち抜かれている。この打抜製品１０は、前記ボール紙の原色である灰色のものであり、組立状態で外面となる一面には、収容する商品に基づく標示が印刷される。また、各部１２，１５，１８，２１，２６の境界部分には、肉厚を圧縮して表面を窪ませた折曲線１１が設けられている。
【００１３】
前記背面部１２は、上側に位置する２つの隅部を面取りした矩形状のものである。この背面部１２の全高Ｈ１は、収容する容器１Ａ，１Ｂの高さと略同一とされている。なお、収容する容器１Ａ，１Ｂの高さが異なる場合には、高い容器１Ａの側と略同一とする。また、背面部１２の上部には、把持孔１３が打ち抜きによって設けられている。さらに、背面部１２の中央下部には、幅方向に延びる長溝からなる差込孔１４が設けられている。
【００１４】
前記背面表紙部１５は、背面部１２の剛性を補強するとともに、ボール紙の原色を隠し、印刷された面を見せるためのものである。この背面表紙部１５は、背面部１２と同様に上側に位置する２つの隅部が面取りされている。また、この背面表紙部１５の全高Ｈ２は、後述する正面部２１の上端縁と上下方向に若干オーバーラップする長さとされている。さらに、背面表紙部１５には、組立状態で前記把持孔１３と対応する位置に折返舌片１６が設けられている。この折返舌片１６は、上端を除く周囲を切断し、上端のみを連続させたものである。また、この折返舌片１６は、前記連続した辺の部分に所定間隔をもって一対の折曲線１７Ａ，１７Ｂが設けられている。
【００１５】
前記底面部１８は、後述する正面部２１の側の２隅を収容する容器１Ａ，１Ｂの曲率と略同曲率で面取りした略台形状のものである。この底面部１８の両側には、側面部２２の補強および位置決めの役割をなす突片１９が設けられている。この突片１９の基部には、それぞれ折曲線２０が設けられている。
【００１６】
前記正面部２１は、前記底面部１８において、背面部１２と連続した辺を除く周囲の辺の長さと同一長さの幅を有するものである。即ち、この正面部２１は、底面部１８の幅と対応する部分の両側が側面部２２の役割をなす。この正面部２１は、組立状態において上側に位置する辺２１ａを円弧状に切り欠いた形状とし、その全高Ｈ３を低くして前方を広く開口させる構成としている。また、正面部２１の前記辺２１ａには、その中央に隣接する容器１Ａ，１Ｂのそれぞれの外周部に当接する固定部２３が設けられている。この固定部２３は略正三角形状をなし、容器１Ａ，１Ｂと当接する辺をその曲率と同曲率の円弧辺として外周部に沿う構成としている。また、この固定部２３には、組立状態において底面部１８の側に折り込む折込部２４が設けられている。この折込部２４は、その一辺を正面部２１の内面に当接させ、該正面部２１の剛性を上げる構成としている。なお、前記正面部２１と固定部２３との境界部分、および、固定部２３と折込部２４との境界部分には、それぞれ折曲線２５が設けられている。
【００１７】
前記組立保持部２６は、背面部１２の裏面に位置するもので、前記差込孔１４の両側に向けて延びる辺２６ａを設けた略台形状のものである。この組立保持部２６の辺２６ａの端部には、前記差込孔１４に差し込み、組立状態を保持するための差込片２７が設けられている。
【００１８】
前記打抜製品１０によりカートンを組み立てる場合には、図２に示すように、印刷が施された面が外面となるように、各折曲線１１，１７，２０，２５を折曲げる。そして、図３に示すように、組立保持部２６を背面部１２の裏面に配置し、その差込片２７を差込孔１４に差し込む。また、背面表紙部１５の折返舌片１６を背面部１２の把持孔１３を通して裏側に折り返すだけで、簡単に組み立てが完了する。
【００１９】
そして、組み立てたカートンに容器１Ａ，１Ｂを収容させる場合には、正面部２１における固定部２３の両側にそれぞれ容器１Ａ，１Ｂを底部から挿入する。
【００２０】
このように容器１Ａ，１Ｂを収容したカートンでは、固定部２３により隣接する容器１Ａ，１Ｂを位置決めできるため、各容器１Ａ，１Ｂがカートン内部で移動することを防止できる。また、固定部２３は、容器１Ａ，１Ｂの外周部に沿う形状としているため、該固定部２３と容器１Ａ，１Ｂとの間に隙間はない。そのため、印刷されていないボール紙自体の原色が外部から見えることを防止できる。そのため、デザイン性がよく、販売促進効果にも繋がる。さらに、固定部２３には折込部２４が設けられているため、確実に容器１Ａ，１Ｂの位置決め状態を維持できる。
【００２１】
さらにまた、このカートンは、固定部２３の折込部２４の一辺が正面部２１の内面に当接するため、正面部２１の上端縁の剛性を高めることができる。そのため、比較的変形し易いボール紙を用いても、ユーザが背面部１２の把持孔１３を利用して持ち上げた状態で、広く開口させた正面から商品が脱落したり、カートン自体が変形および破損することはない。即ち、カートンに用いたボール紙は、容器１Ａ，１Ｂに沿うように比較的変形し易い材料であるが、前記構成により剛性を高めることができる。しかも、従来例に示す樹脂製の袋と比較すると、破れる等の破損は生じ難い。
【００２２】
そして、商品を購入したユーザは、カートンが単一の紙製であるため、廃棄する際に従来例のように分別する必要はなく、その組立状態のまま、または、展開状態としてそのまま廃棄することができる。ここで、カートンを展開する場合には、組立作業とは逆に、背面表紙部１５の折返舌片１６を背面部１２の把持孔１３を通して表側に戻し、背面部１２の差込孔１４から組立保持部２６の差込片２７を抜くだけで簡単に展開できる。
【００２３】
図５から図８は、本発明の実施形態に係るカートンを示す。このカートンは、図５および図６に示すように、断面が非円形状である略楕円形状をなすポンプ注出方式の２つの容器２Ａ，２Ｂを、楕円の長軸側を斜め配置として幅方向に並べて収容するものである。
【００２４】
具体的には、このカートンは、図７に示すように、参考例と同様に、背面部３２の全高が高く、正面部４１の全高が低くされ、その前方が湾曲した縁により大きく開口する形状とされている。また、正面部４１の中央上端縁の内側には固定部４３が設けられている。さらに、本実施形態では、側面部４２に容器２Ａ，２Ｂの上部を保持する保持片４６が設けられている。
【００２５】
具体的には、前記カートンは、ボール紙を打ち抜くことにより、図８に示す展開状態で成形され、この打抜製品３０を折曲線３１，３７，４０，４５に沿って折ることにより組み立てられる。
【００２６】
前記打抜製品３０は、図８に示すように、参考例と同様に、背面部３２と、背面表紙部３５と、底面部３８と、正面部４１と、組立保持部４８とからなり、これらが一枚の連続した展開形状で打ち抜かれている。この打抜製品３０は、組立状態で外面となる一面には、収容する商品に基づく標示が印刷される。また、各部３２，３５，３８，４１，４８の境界部分には折曲線３１が設けられている。
【００２７】
前記背面部３２は、参考例と同様に、上側に位置する２つの隅部を面取りした矩形状のもので、その全高Ｈ１は、収容する容器２Ａ，２Ｂの高さと略同一とされている。また、背面部３２の上部には、把持孔３３が設けられ、中央下部には、差込孔３４が設けられている。
【００２８】
前記背面表紙部３５は、参考例と同様に、上側に位置する２つの隅部が面取りされ、その全高Ｈ２は、正面部４１の上端縁と上下方向にオーバーラップする長さとされている。また、背面表紙部３５には折返舌片３６が設けられ、その連続した辺の部分に所定間隔をもって一対の折曲線３７Ａ，３７Ｂが設けられている。
【００２９】
前記底面部３８は、正面部４１の側の一方の隅を収容する容器２Ａの長軸側の小曲率と同曲率で面取りし、他方の隅を収容する容器２Ｂの短軸側の大曲率と同曲率で面取りした略台形状のものである。この底面部３８の一方側部には、参考例と同様の突片３９が設けられ、その基部には、折曲線４０が設けられている。
【００３０】
前記正面部４１は、前記底面部３８において、背面部３２と連続した辺を除く周囲の辺の長さと同一長さの幅を有し、底面部３８の幅と対応する部分の両側が側面部４２の役割をなすものである。この正面部４１は、組立状態において上側に位置する辺４１ａを所定形状に切り欠き、その全高Ｈ３を低くして前方を広く開口させる構成としている。なお、前記辺４１ａの形状は、容器２Ａ，２Ｂの大曲率面に印刷された標示が最大限に見える形状とされている。即ち、この辺４１ａの形状を変更するだけで商品の見える部分を変更できるため、設計の自由度が広い。また、前記辺４１ａには、その中央に隣接する容器２Ａ，２Ｂのそれぞれの外周部に当接する固定部４３が設けられている。この固定部４３は略三角形状をなし、容器２Ａと当接する辺を対応する大曲率と同曲率の円弧辺とし、容器２Ｂと当接する辺を一部のみが当接する直線辺として構成としている。この固定部４３には、容器２Ｂと当接する辺にのみ、底面部３８の側に折り込んで正面部４１の内面に当接させる折込部４４が設けられている。そして、正面部４１と固定部４３との境界部分、および、固定部４３と差込部４４との境界部分には、折曲線４５が設けられている。なお、前記固定部４３は、容器２Ｂと当接する辺も対応する小曲率と同曲率の円弧辺としてもよい。また、容器２Ａと当接する辺にも折込部４４を設けてもよい。
【００３１】
本実施形態では、前記正面部４１における側面部４２を構成する部分の上端は、高さが異なる容器２Ａ，２Ｂにおいて、そのポンプ機構取付部３とそれぞれ一致する高さとされている。そして、前記側面部４２の上端部には、前記背面表紙部３５に対して前記正面部４１の側に位置し、容器２Ａ，２Ｂの上部を保持する保持片４６が設けられている。この保持片４６は、容器２Ａ，２Ｂを両側部から位置決め保持するもので、その内部には前記ポンプ機構取付部３の直径と略同一直径の円形状取付部４７が設けられている。
【００３２】
前記組立保持部４８は、参考例と同様に、平面部の差込孔３４の両側に向けて延びる辺４８ａを設けた略台形状のもので、その辺４８ａの端部には、組立状態を保持するための差込片４９が設けられている。
【００３３】
本実施形態の打抜製品３０によりカートンを組み立てる作業は、参考例と同一である。
【００３４】
そして、組み立てたカートンに容器２Ａ，２Ｂを収容させる場合には、参考例と同様に正面部４１における固定部４３の両側にそれぞれ容器２Ａ，２Ｂを底部から挿入した後、前記保持片４６の円形状取付部４７で容器２Ａ，２Ｂのポンプ機構取付部３を外嵌させる。
【００３５】
このように容器２Ａ，２Ｂを収容したカートンでは、容器２Ａ，２Ｂの断面形状に拘わらず参考例と同様の作用、効果を得ることができる。そのうえ、前記保持片４６により容器２Ａ，２Ｂの上部を保持するため、カートンに収容した容器２Ａ，２Ｂがカートン内において前倒れすることを防止できる。また、保持片４６の保持により、容器２Ａ，２Ｂはカートン内から引き抜くだけでは取り出すことができない。そのため、盗難の防止にも繋がる。
【００３６】
なお、本発明のカートンは、前記実施形態の構成に限定されるものではない。
例えば、前記実施形態では、上端にポンプ機構を取り付けた異形状の容器１，２を収容したが、ジュースやアルコールを収容したボトル等、種々の容器を収容する場合に適用してもよい。
【００３７】
また、前記実施形態では、２つの商品を１組として収容するカートンとしたが、図９に示すように、３つの商品（容器１Ａ，１Ｂ，１Ｃ）を１組として収容するようにしてもよく、その数は、２以上であれば希望に応じて変更可能である。そして、このように収容する容器１，２の数を増やしても、正面部４１に設けた固定部４３により剛性を保ち、容易に変形したり破損することを防止できる。
【００３８】
さらに、前記実施形態では、固定部４３を正面部４１にのみ設けたが、背面部３２（背面表紙部３５の下端）に同様の構成で固定部４３を設けてもよい。
【００３９】
【発明の効果】
以上の説明から明らかなように、本発明のカートンでは、固定部により隣接する容器を位置決めできるとともに、容器の断面形状が非円形状である場合にはその容器に印刷された標示の方向を希望に応じて変更し、その状態で位置決めできる。そのため、設計の自由度が広く、デザイン性の自由度が広がる。その結果、販売促進効果にも繋がる。しかも、単一の紙により形成されるため、従来例のように、廃棄する際に分別する必要はないうえ、破れる等の破損は生じ難い。
【図面の簡単な説明】
【図１】  参考例のカートンに容器を収容させた状態を示す斜視図である。
【図２】  容器の収容前のカートンを示す斜視図である。
【図３】  容器の収容前のカートンの背面側斜視図である。
【図４】  カートンの組立前である打抜製品の平面図である。
【図５】  本発明に係る実施形態のカートンに容器を収容させた状態を示す斜視図である。
【図６】  図５とは異なる方向から見た状態を示す斜視図である。
【図７】  容器の収容前のカートンを示す斜視図である。
【図８】  カートンの組立前である打抜製品の平面図である。
【図９】  カートンの変形例を示す斜視図である。
【符号の説明】
１Ａ，１Ｂ，２Ａ，２Ｂ…容器、３２…背面部、３５…背面表紙部、３８…底面部、４１…正面部、４１ａ…辺、４２…側面部、４３…固定部、４８…組立保持部、４６…保持片、Ｈ１…背面部の全高、Ｈ２…背面表紙部の全高、Ｈ３…正面部の全高。
【図１】
0004549567.tif 000002
【図２】
0004549567.tif 000003
【図３】
0004549567.tif 000004
【図４】
0004549567.tif 000005
【図５】
0004549567.tif 000006
【図６】
0004549567.tif 000007
【図７】
0004549567.tif 000008
【図８】
0004549567.tif 000009
【図９】
0004549567.tif 000010